(57)【要約】【課題】第三者の不正利用による被害を最小限にとどめつつ、非接触インタフェース機能の利便性を十分活用すること。【解決手段】制御部１は、非接触インタフェース部２にて外部装置からの情報を受信したときに、受信した情報に含まれるサービスが利用許可情報に含まれるサービスと一致するか否かを確認するように処理する。制御部１は、サービスが一致しない場合、非接触インタフェース部２にてサービスの利用に関する処理を許可しないように制御する。制御部１は、サービスが一致する場合、計時部８にて現在時刻を計測させ、計測した現在時刻が利用許可情報に含まれる時間帯に含まれるか否かを確認するように処理する。制御部１は、時間帯に含まれない場合、非接触インタフェース部２にてサービスの利用に関する処理を許可しないように制御する。【選択図】図１
2007265200.tif 000002
【特許請求の範囲】
【請求項１】
外部装置との間でサービスに関する情報を非接触で送受する非接触インタフェース部と、
利用を許可するサービスを含む利用許可情報を記憶する記憶部と、
前記非接触インタフェース部および前記記憶部を制御する制御部と、
を備え、
前記制御部は、
前記非接触インタフェース部にて前記外部装置からの情報を受信したときに、受信した情報に含まれるサービスが前記利用許可情報に含まれるサービスと一致するか否かを確認するように処理し、
サービスが一致しない場合、前記非接触インタフェース部にてサービスの利用に関する処理を許可しないように制御することを特徴とする携帯端末装置。
【請求項２】
時計機能に基づいて時刻を計測する計時部を備え、
前記利用許可情報は、利用を許可する前記サービスに対応する時間帯を含み、
前記制御部は、
サービスが一致する場合、前記計時部にて現在時刻を計測させ、計測した現在時刻が前記利用許可情報に含まれる時間帯に含まれるか否かを確認するように処理し、
時間帯に含まれない場合、前記非接触インタフェース部にてサービスの利用に関する処理を許可しないように制御することを特徴とする携帯端末装置。
【請求項３】
前記制御部は、サービスが一致し、かつ、時間帯に含まれる場合、前記非接触インタフェース部にてサービスの利用に関する処理を許可するように制御することを特徴とする請求項２記載の携帯端末装置。
【請求項４】
音を鳴動するスピーカ部を備え、
前記制御部は、前記非接触インタフェース部にてサービスの利用に関する処理を許可しないように制御する際、前記スピーカ部にてエラー音を鳴動させるように制御することを特徴とする請求項１乃至３のいずれか一に記載の携帯端末装置。
【請求項５】
ユーザが操作した情報を前記制御部へ出力する操作部を備え、
前記制御部は、前記非接触インタフェース部にてサービスの利用に関する処理を許可しないように制御する際、前記操作部での操作を禁止状態にするように処理することを特徴とする請求項１乃至４のいずれか一に記載の携帯端末装置。
【請求項６】
前記制御部は、操作に応じて前記非接触インタフェース部の利用を制限する利用制限モードがＯＮのときに、前記利用許可情報を確認する処理を行うように制御することを特徴とする請求項１乃至５のいずれか一に記載の携帯端末装置。
【請求項７】
前記記憶部は、過去に利用したサービス及び時刻を含む利用履歴情報と、前記利用履歴情報にサービス及び時刻を追加登録しうる学習期間とを記憶し、
前記制御部は、前記利用履歴情報に基づいて前記利用許可情報を自動的に生成するための学習モードの際に、
前記非接触インタフェース部にて前記外部装置からの情報を受信したときに、受信した情報に含まれるサービスが前記利用履歴情報に含まれるサービスと一致するか否かを確認するように処理し、
サービスが一致しない場合、前記計時部にて現在時刻を計測させ、受信した情報に含まれるサービスと現在時刻を関連付けて前記利用履歴情報に追加登録するように処理し、
前記計時部にて定期的に時刻を計測させ、計測した時刻が前記学習期間内に含まれるか否かを確認するよう処理し、
前記学習期間内に含まれない場合、前記利用履歴情報に基づいて前記利用許可情報を生成し、生成した利用許可情報を前記記憶部に記憶させるように制御することを特徴とする請求項２乃至６のいずれか一に記載の携帯端末装置。
【請求項８】
前記制御部は、
サービスが一致する場合、前記計時部にて現在時刻を計測させ、計測した現在時刻が前記利用履歴情報に含まれる時刻の前後所定時間内に含まれるか否かを確認するように処理し、
前後所定時間内に含まれない場合、受信した情報に含まれるサービスと現在時刻を関連付けて前記利用履歴情報に追加登録するように処理することを特徴とする請求項７記載の携帯端末装置。
【請求項９】
外部装置との間でサービスに関する情報を非接触で送受する非接触インタフェース部を有する携帯端末装置に所定の処理を実行させるプログラムであって、
前記非接触インタフェース部にて前記外部装置からの情報を受信したときに、受信した情報に含まれるサービスが、記憶部に記憶された利用許可情報に含まれる利用を許可するサービスと一致するか否かを確認する処理と、
サービスが一致しない場合、前記非接触インタフェース部にてサービスの利用に関する処理を許可しないようにする処理と、
を実行させることを特徴とするプログラム。
【請求項１０】
サービスが一致する場合、計時部にて現在時刻を計測させ、計測した現在時刻が前記利用許可情報に含まれる時間帯に含まれるか否かを確認する処理と、
時間帯に含まれない場合、前記非接触インタフェース部にてサービスの利用に関する処理を許可しないようにする処理と、
を実行させることを特徴とする請求項９記載のプログラム。
【請求項１１】
サービスが一致し、かつ、時間帯に含まれる場合、前記非接触インタフェース部にてサービスの利用に関する処理を許可するようにする処理を実行させることを特徴とする請求項１０記載のプログラム。
【請求項１２】
前記非接触インタフェース部にてサービスの利用に関する処理を許可しないように処理する際、スピーカ部にてエラー音を鳴動させるようにする処理を実行させることを特徴とする請求項９乃至１１のいずれか一に記載のプログラム。
【請求項１３】
前記非接触インタフェース部にてサービスの利用に関する処理を許可しないように処理する際、操作部での操作を禁止状態にするようにする処理を実行させることを特徴とする請求項９乃至１２のいずれか一に記載のプログラム。
【請求項１４】
操作に応じて前記非接触インタフェース部の利用を制限する利用制限モードがＯＮのときに、前記利用許可情報を確認する処理を行うようにする処理を実行させることを特徴とする請求項９乃至１３のいずれか一に記載のプログラム。
【請求項１５】
前記記憶部に記憶された、過去に利用したサービス及び時刻を含む利用履歴情報に基づいて前記利用許可情報を自動的に生成するための学習モードの際に、前記非接触インタフェース部にて前記外部装置からの情報を受信したときに、受信した情報に含まれるサービスが前記利用履歴情報に含まれるサービスと一致するか否かを確認する処理と、
サービスが一致しない場合、前記計時部にて現在時刻を計測させ、受信した情報に含まれるサービスと現在時刻を関連付けて前記利用履歴情報に追加登録する処理と、
前記計時部にて定期的に時刻を計測させ、計測した時刻が前記学習期間内に含まれるか否かを確認する処理と、
前記学習期間内に含まれない場合、前記利用履歴情報に基づいて前記利用許可情報を生成し、生成した利用許可情報を前記記憶部に記憶させる処理と、
を実行させることを特徴とする請求項１０乃至１４のいずれか一に記載のプログラム。
【請求項１６】
サービスが一致する場合、前記計時部にて現在時刻を計測させ、計測した現在時刻が前記利用履歴情報に含まれる時刻の前後所定時間内に含まれるか否かを確認する処理と、
前後所定時間内に含まれない場合、受信した情報に含まれるサービスと現在時刻を関連付けて前記利用履歴情報に追加登録する処理と、
を実行させることを特徴とする請求項１５記載のプログラム。
【発明の詳細な説明】
【技術分野】
【０００１】
本発明は、携帯端末装置及びプログラムに関し、特に、非接触インタフェース機能を有する携帯端末装置及びプログラムに関する。
【背景技術】
【０００２】
近年、電子決済が可能な機能を有する携帯電話機が普及している。このような携帯電話機には、電磁誘導又は電磁結合を利用して、リーダやリーダ／ライタなどの外部端末と非接触でデータ通信を行う機能（以下、非接触型ＩＣカード機能と呼ぶ。）が搭載されている。店舗や改札などに設けられた外部端末に対して、携帯電話機の非接触型ＩＣカードに記憶されたユーザ情報などを送信することにより、商品の代金や電車の運賃などの支払いや各種手続きなどを行うことができる。しかしながら、このような携帯電話機は、紛失或いは盗難した場合に不正に利用されてしまうおそれがある。そこで、不正利用を防止するための種々の技術が開示されている。
【０００３】
例えば、特許文献１には、ＩＣカード機能を利用するための暗証番号を記憶する手段と、ＩＣカード機能利用に先立ってユーザから暗証番号の入力を受ける手段と、前記登録された暗証番号と入力された暗証番号とを比較する比較手段と、通常時はＩＣカード機能を使用不能化し、前記入力された暗証番号が登録された暗証番号と一致したときに前記ＩＣカード機能の使用不能状態を解除する制御手段と、を備えた携帯端末機が開示されている。
【０００４】
また、特許文献２には、基地局、移動通信交換局等で構成される網と携帯端末機との位置登録手順から得られる位置登録終了状態を記憶する記憶手段と、前記位置登録終了状態によって非接触ＩＣカード手段の使用を制御する制御手段とを有する携帯端末機が開示されている。
【０００５】
さらに、使用にあたって手間がかからず、使用可能な環境が限定されないような非接触型ＩＣカードの技術が、特許文献３において開示されている。この非接触型ＩＣカードは、携帯電話に設けられた利用条件入力部から入力された利用条件を記憶する第１の記憶手段と、前記利用条件を用いてユーザ認証をする第１のユーザ認証部と、を具備し、前記第１のユーザ認証部は、前記第１の記憶手段に記憶されている前記利用条件を読み出し、外部の対向装置から送信された利用情報を取得し、該利用条件と該利用情報とを照合して、それらの内容が合致するか否かによって、ユーザ認証の成否を判断することにより、ユーザがＩＣカードを使用する際に、ユーザインターフェースを用いた、パスワード、個人情報、又は、指紋の入力等の複雑な入力操作を不要とすると共に、ユーザ以外の第三者の利用を防止している。
【０００６】
【特許文献１】特開２００３−１６３９８号公報
【特許文献２】特開２００５−２６９１１６号公報
【特許文献３】特開２００６−５８９７０号公報
【発明の開示】
【発明が解決しようとする課題】
【０００７】
しかしながら、特許文献１に記載の携帯端末機では、ＩＣカード機能を利用する都度、禁止状態を切り替える手間がかかって煩雑であり、非接触インタフェース機能の利便性を十分活用することができない。また、特許文献２に記載の携帯端末機では、携帯端末機が網と接続可能状態にないと機能しないために、使用可能な状況が限定されてしまうおそれがある。
【０００８】
一方、特許文献３に記載の非接触型ＩＣカードでは、ユーザが予め登録した利用条件と、該カードの利用情報とを照合し、それらの内容が合致するか否かによりユーザ認証の成否を判断するので、複雑な入力操作を不要とし、非接触インタフェース機能の利便性があるものの、サービスごとに予め利用条件を登録するのは、煩わしく、必ずしも利便性が高いとはいえないおそれがある。
【０００９】
ところで、第三者による不正利用を防ぐ別の手段として、電話着信やメール着信などによる遠隔操作によって端末を利用禁止状態にする方式が存在するが、端末を電波が届かない場所で利用された場合には遠隔操作が行えない場合があり、また、ユーザが紛失に気づくまでの期間に利用され続けてしまう危険性があった。
【００１０】
本発明の主な課題は、第三者の不正利用による被害を最小限にとどめつつ、非接触インタフェース機能の利便性を十分活用することである。
【課題を解決するための手段】
【００１１】
本発明の第１の視点においては、携帯端末装置において、外部装置との間でサービスに関する情報を非接触で送受する非接触インタフェース部と、利用を許可するサービスを含む利用許可情報を記憶する記憶部と、前記非接触インタフェース部および前記記憶部を制御する制御部と、を備え、前記制御部は、前記非接触インタフェース部にて前記外部装置からの情報を受信したときに、受信した情報に含まれるサービスが前記利用許可情報に含まれるサービスと一致するか否かを確認するように処理し、サービスが一致しない場合、前記非接触インタフェース部にてサービスの利用に関する処理を許可しないように制御することを特徴とする。
【００１２】
本発明の前記携帯端末装置において、時計機能に基づいて時刻を計測する計時部を備え、前記利用許可情報は、利用を許可する前記サービスに対応する時間帯を含み、前記制御部は、サービスが一致する場合、前記計時部にて現在時刻を計測させ、計測した現在時刻が前記利用許可情報に含まれる時間帯に含まれるか否かを確認するように処理し、時間帯に含まれない場合、前記非接触インタフェース部にてサービスの利用に関する処理を許可しないように制御することが好ましい。
【００１３】
本発明の前記携帯端末装置において、前記制御部は、サービスが一致し、かつ、時間帯に含まれる場合、前記非接触インタフェース部にてサービスの利用に関する処理を許可するように制御することが好ましい。
【００１４】
本発明の前記携帯端末装置において、音を鳴動するスピーカ部を備え、前記制御部は、前記非接触インタフェース部にてサービスの利用に関する処理を許可しないように制御する際、前記スピーカ部にてエラー音を鳴動させるように制御することが好ましい。
【００１５】
本発明の前記携帯端末装置において、ユーザが操作した情報を前記制御部へ出力する操作部を備え、前記制御部は、前記非接触インタフェース部にてサービスの利用に関する処理を許可しないように制御する際、前記操作部での操作を禁止状態にするように処理することが好ましい。
【００１６】
本発明の前記携帯端末装置において、前記制御部は、操作に応じて前記非接触インタフェース部の利用を制限する利用制限モードがＯＮのときに、前記利用許可情報を確認する処理を行うように制御することが好ましい。
【００１７】
本発明の前記携帯端末装置において、前記記憶部は、過去に利用したサービス及び時刻を含む利用履歴情報と、前記利用履歴情報にサービス及び時刻を追加登録しうる学習期間とを記憶し、前記制御部は、前記利用履歴情報に基づいて前記利用許可情報を自動的に生成するための学習モードの際に、前記非接触インタフェース部にて前記外部装置からの情報を受信したときに、受信した情報に含まれるサービスが前記利用履歴情報に含まれるサービスと一致するか否かを確認するように処理し、サービスが一致しない場合、前記計時部にて現在時刻を計測させ、受信した情報に含まれるサービスと現在時刻を関連付けて前記利用履歴情報に追加登録するように処理し、前記計時部にて定期的に時刻を計測させ、計測した時刻が前記学習期間内に含まれるか否かを確認するよう処理し、前記学習期間内に含まれない場合、前記利用履歴情報に基づいて前記利用許可情報を生成し、生成した利用許可情報を前記記憶部に記憶させるように制御することが好ましい。
【００１８】
本発明の前記携帯端末装置において、前記制御部は、サービスが一致する場合、前記計時部にて現在時刻を計測させ、計測した現在時刻が前記利用履歴情報に含まれる時刻の前後所定時間内に含まれるか否かを確認するように処理し、前後所定時間内に含まれない場合、受信した情報に含まれるサービスと現在時刻を関連付けて前記利用履歴情報に追加登録するように処理することが好ましい。
【００１９】
本発明の第２の視点においては、外部装置との間でサービスに関する情報を非接触で送受する非接触インタフェース部を有する携帯端末装置に所定の処理を実行させるプログラムであって、前記非接触インタフェース部にて前記外部装置からの情報を受信したときに、受信した情報に含まれるサービスが、記憶部に記憶された利用許可情報に含まれる利用を許可するサービスと一致するか否かを確認する処理と、サービスが一致しない場合、前記非接触インタフェース部にてサービスの利用に関する処理を許可しないようにする処理と、を実行させることを特徴とする。
【発明の効果】
【００２０】
本発明（請求項１−１６）によれば、ユーザの日常における利用サービスと利用時間帯に限定して非接触インタフェースを利用可能とすることにより、非接触インタフェースの利便性を確保しつつ、万が一紛失した場合の被害範囲を最小限にとどめることができる。
【発明を実施するための最良の形態】
【００２１】
（実施形態１）
本発明の実施形態１に係る携帯端末装置について図面を用いて説明する。図１は、本発明の実施形態１に係る携帯端末装置の構成を模式的に示したブロック図である。図２は、本発明の実施形態１に係る携帯端末装置において表示される画面の例であり、（Ａ）は認証要求画面、（Ｂ）は利用許可情報の画面である。
【００２２】
図１を参照すると、この携帯端末装置は、非接触インタフェース機能およびコンピュータ機能を有する携帯型の端末装置であり、例えば、携帯電話機、ＰＨＳ等である。携帯端末装置は、制御部１と、非接触インタフェース部２と、アンテナ部３と、操作部４と、表示部５と、スピーカ部６と、記憶部７と、計時部８と、を備える。
【００２３】
制御部１は、所定のプログラムに基づいて各機能部２〜８を制御する。非接触インタフェース部２は、アンテナ部３を介して図示されていない外部の非接触リーダや非接触ライタとの通信を行う。アンテナ部３は、非接触リーダや非接触ライタとの間で信号の通信を行う。操作部４では、キーボタンなどで構成され、ユーザによる操作情報を制御部１へ出力する。表示部５は、所定の情報を表示する。スピーカ部６は、所定の音を出力する。記憶部７は、プログラムやデータを記憶する。記憶部７は、非接触インタフェース部２の利用を許可する時間帯およびサービスの種類を利用許可情報として記憶し、利用許可情報の設定時の認証の際に利用する認証情報（例えば、暗証番号、パスワード等）を記憶する。計時部８は、時計機能に基づいて時刻を計測する。
【００２４】
制御部１は、非接触インタフェース部２や操作部４から入力されるデータに応じて、表示情報を表示部５に表示するように制御する。制御部１は、記憶部７から必要な情報を読み出し、あるいは記憶部７に必要な情報を書き込む。制御部１は、非接触インタフェース部２を利用する際、記憶部７に記憶された利用許可情報のサービス及び時間帯に対応しないときに、スピーカ部６を鳴動させるように制御する。制御部１は、計時部８を用いて、非接触インタフェース部２が利用された時刻を計測する。制御部１は、記憶部７に記憶された利用許可情報に応じて、非接触インタフェース部２の利用の許可、禁止状態を制御する。制御部１は、利用許可情報および学習期間の設定又は、設定モードの実行の際、第三者による改竄や参照ができないよう、認証情報の入力を要求する画面（図２（Ａ）参照）を表示させ、認証情報が入力されることにより、予め記憶された認証情報と、入力された認証情報とが一致するか否かを照合し、一致すれば利用許可情報および学習期間の設定を可能にするように制御する。制御部１は、操作部４にて入力操作された、非接触インタフェース部２の利用許可な時間帯とサービスを１又は複数の利用許可情報（図２（Ｂ）参照）として記憶部７に格納するように制御する。制御部１は、ユーザにより設定された学習期間中に、非接触インタフェース部２を新規に利用したときのサービス及び時刻と、過去の利用履歴情報に含まれるサービス及び時刻とを比較し、過去のサービスと重複しない新たなサービスや、同じサービスでも過去の利用時刻の前後所定時間内にない新たな時刻の場合には当該新たなサービス及び時刻を利用履歴情報に追加登録し、学習期間が満了すると利用履歴情報に基づいて利用許可情報を生成し、生成された利用許可情報を記憶部７に登録する。
【００２５】
ここで、「利用許可情報」は、非接触インタフェース部２の利用を許可する時間帯（例えば、７：３０〜１０：３０、１７：３０〜２１：３０）およびサービスの種類（例えば、電車の定期券）を設定した情報であり、複数設定することも可能である（図２（Ｂ）参照）。利用許可情報には、ユーザが操作部４を用いて手動操作で設定したもののほかに、制御部１の学習期間中の利用履歴情報に基づいて設定されたものがある。
【００２６】
次に、本発明の実施形態１に係る携帯端末装置の動作について説明する。
【００２７】
（学習モード）
学習モードの際の動作について図面を用いて説明する。図３は、本発明の実施形態１に係る携帯端末装置の学習モードの際の動作を模式的に示したフローチャート図である。
【００２８】
まず、携帯端末装置は、学習モードを設定する際、ユーザに認証情報（例えば、暗証番号）の入力を要求し、ユーザによって入力された認証情報と、予め記憶された認証情報とが一致するか否かを照合し、一致すれば学習期間の設定を可能にし、ユーザの入力操作に応じて学習期間（学習開始時刻および学習終了時刻；例えば、３月３１日１２：００〜４月１日１２：００）を設定し、学習開始時刻になると学習モードをＯＮにする（ステップＡ１）。なお、学習開始時刻を設定せず、学習終了時刻のみ設定した場合には、携帯端末装置は、設定後すぐに学習モードをＯＮにする。
【００２９】
次に、学習モード中にユーザが携帯端末装置の非接触インタフェース部２を利用する際、携帯端末装置の非接触インタフェース部２を非接触リーダ（図示せず）にかざすことで、携帯端末装置の非接触インタフェース部２は、非接触リーダ（図示せず）との間でサービスの精算処理を行う（ステップＡ２）。この際、非接触リーダ（図示せず）から携帯端末装置の非接触インタフェース部２に送信される信号（情報）の中にはサービスに係る情報（サービス情報）が含まれており、携帯端末装置はサービス情報を受信することになる。
【００３０】
次に、携帯端末装置の非接触インタフェース部２が非接触リーダ（図示せず）からのサービス情報を受信することで、携帯端末装置は、受信したサービス情報について、記憶部７に記憶されている利用履歴情報に含まれるサービスと一致するか否かを確認する（ステップＡ３）。
【００３１】
サービスが一致する場合（ステップＡ３のＹＥＳ）、携帯端末装置は、計時部８にて現在時刻を計測し、計測した現在時刻が、利用履歴情報に含まれる利用時刻（一致したサービスに対応する時刻）の前後所定時間内（例えば、２時間）にあるか否か（利用時間帯に含まれるか否か）を確認する（ステップＡ４）。利用時間帯に含まれない場合（ステップＡ４のＮＯ）、ステップＡ６に進む。
【００３２】
サービスが一致しない場合（ステップＡ３のＮＯ）、携帯端末装置は、計時部８にて現在時刻を計測し（ステップＡ５）、ステップＡ６に進む。
【００３３】
利用時間帯に含まれない場合（ステップＡ４のＮＯ）、及び、ステップＡ５の後、携帯端末装置は、利用履歴情報に、受信したサービスに係る情報と、計測した現在時刻とを追加登録し、追加登録後の利用履歴情報を記憶部７に格納する（ステップＡ６）。
【００３４】
利用時間帯に含まれる場合（ステップＡ４のＹＥＳ）、及び、ステップＡ６の後、携帯端末装置は、定期的に学習期間が満了しているか否かを確認する（ステップＡ７）。学習期間が満了していない場合（ステップＡ７のＮＯ）、ステップＡ２に戻り、携帯端末装置は、学習モードを継続するように、次回に非接触インタフェース部２を利用したときにステップＡ２〜Ａ６を繰り返す。
【００３５】
学習期間が満了している場合（ステップＡ７のＹＥＳ）、携帯端末装置は、記憶部７に記憶された利用履歴情報に基づいて利用許可情報を生成し、生成された利用許可情報を記憶部７に格納し（ステップＡ８）、学習モードを終了する。
【００３６】
（利用制限モード）
次に、利用制限モードの際の動作について図面を用いて説明する。図４は、本発明の実施形態１に係る携帯端末装置の利用制限モードの際の動作を模式的に示したフローチャート図である。ここでは、携帯端末装置に既に利用許可情報が登録された状態にあるものとする。
【００３７】
まず、携帯端末装置は、利用制限モードを設定する際、ユーザに認証情報（例えば、暗証番号）の入力を要求し、ユーザによって入力された認証情報と、予め記憶された認証情報とが一致するか否かを照合し、一致すれば利用制限モードの設定を可能にし、ユーザの操作に応じて利用制限モードをＯＮにする（ステップＢ１）。
【００３８】
次に、利用制限モード中にユーザが携帯端末装置の非接触インタフェース部２を利用する際、携帯端末装置の非接触インタフェース部２を非接触リーダ（図示せず）にかざすことで、非接触リーダ（図示せず）から携帯端末装置の非接触インタフェース部２にサービスに係る情報（サービス情報）が送信され、携帯端末装置はサービス情報を受信する（ステップＢ２）。なお、この段階では、非接触リーダ（図示せず）は、携帯端末装置の非接触インタフェース部２との間でサービスの精算処理を行おうとするが、携帯端末装置は利用許可情報の参照が終わるまで精算処理を行わない。また、非接触リーダ（図示せず）が精算処理を行おうとする際に発信される信号（情報）にはサービス情報が含まれる。
【００３９】
次に、携帯端末装置の非接触インタフェース部２が非接触リーダ（図示せず）からのサービス情報を受信することで、携帯端末装置は、受信したサービス情報について、記憶部７に記憶されている利用許可情報に含まれるサービスと一致するか否かを確認する（ステップＢ３）。サービスが一致しない場合（ステップＢ３のＮＯ）、ステップＢ５に進む。
【００４０】
サービスが一致する場合（ステップＢ３のＹＥＳ）、携帯端末装置は、計時部８にて現在時刻を計測し、計測した現在時刻が、利用許可情報に含まれる利用時間帯（一致したサービスに対応する利用時間帯）に含まれるか否かを確認する（ステップＢ４）。利用時間帯に含まれない場合（ステップＢ４のＮＯ）、ステップＢ５に進む。
【００４１】
サービスが一致しない場合（ステップＢ３のＮＯ）、及び、利用時間帯に含まれない場合（ステップＢ４のＮＯ）、携帯端末装置は、スピーカ部６によってエラー音を鳴動させ（ステップＢ５）、ステップＢ２に戻る。
【００４２】
利用時間帯に含まれる場合（ステップＢ４のＹＥＳ）、携帯端末装置の非接触インタフェース部２は、非接触リーダ（図示せず）との間でサービスの精算処理を行い（ステップＢ６）、ステップＢ２に戻る。
【００４３】
実施形態１によれば、記憶部７の利用許可情報を用いて非接触インタフェース部２の利用の禁止・許可状態を制御することにより、利用可能な時間帯およびサービスを限定し、日常における利便性を損なうことなく、万が一端末が紛失した場合の被害範囲を最小限にとどめることができる。また、学習モードによって利用許可情報の設定の操作が不要となる。なお、学習モードの際は非接触インタフェース部２の利用を制限していないが、学習期間が満了することで、自動的に利用不可能な状態に切り換わるようにしておけば、万が一端末が紛失した場合の被害範囲を抑えることができる。
【００４４】
（実施形態２）
本発明の実施形態２に係る携帯端末装置について図面を用いて説明する。図５は、本発明の実施形態２に係る携帯端末装置の利用制限モードの際の動作を模式的に示したフローチャート図である。
【００４５】
実施形態２では、利用制限モードの際、利用許可情報の条件を満たさない場合に、非接触インタフェース部２の利用を含む端末操作を禁止状態にする点（図５のステップＣ５）が実施形態１と異なる。その他のステップＣ１〜Ｃ４、Ｃ６は、実施形態１のステップＢ１〜Ｂ４、Ｂ６と同様である。なお、端末操作禁止状態になった携帯端末装置は、操作部４から端末暗証番号を入力することで再度利用可能状態に戻すように制御されるようにしてもよい。
【００４６】
実施形態２によれば、実施形態１と同様な効果を奏するとともに、不正操作によって携帯端末装置の非接触インタフェース部が使用されることを防止することができる。
【図面の簡単な説明】
【００４７】
【図１】本発明の実施形態１に係る携帯端末装置の構成を模式的に示したブロック図である。
【図２】本発明の実施形態１に係る携帯端末装置において表示される画面の例であり、（Ａ）は認証要求画面、（Ｂ）は利用許可情報の画面である。
【図３】本発明の実施形態１に係る携帯端末装置の学習モードの際の動作を模式的に示したフローチャート図である。
【図４】本発明の実施形態１に係る携帯端末装置の利用制限モードの際の動作を模式的に示したフローチャート図である。
【図５】本発明の実施形態２に係る携帯端末装置の利用制限モードの際の動作を模式的に示したフローチャート図である。
【符号の説明】
【００４８】
１  制御部
２  非接触インタフェース部
３  アンテナ部
４  操作部
５  表示部
６  スピーカ部
７  記憶部
８  計時部
【図１】
2007265200.tif 000003
【図２】
2007265200.tif 000004
【図３】
2007265200.tif 000005
【図４】
2007265200.tif 000006
【図５】
2007265200.tif 000007